【手続補正書】
【提出日】平成25年11月15日(2013.11.15)
【手続補正１】
【補正対象書類名】明細書
【補正対象項目名】発明の名称
【補正方法】変更
【補正の内容】
【発明の名称】撮像装置及びその制御方法、動画記録装置並びにその制御方法、プログラム、並びに記憶媒体
【手続補正２】
【補正対象書類名】明細書
【補正対象項目名】０００１
【補正方法】変更
【補正の内容】
【０００１】
本発明は動画像が記録可能なビデオカメラなどの撮像装置及びその制御方法、動画記録装置並びにその制御方法、プログラム、並びに記憶媒体に関し、特に、動画像に当該動画像を特定するタイトルなどの表示アイテムを重畳して撮影・記録する動画像の重畳制御を行う撮像装置及びその制御方法、動画記録装置並びにその制御方法、プログラム、並びに記憶媒体に関する。
【手続補正３】
【補正対象書類名】明細書
【補正対象項目名】０００９
【補正方法】変更
【補正の内容】
【０００９】
本発明の目的は、被写体の動きに拘わらずユーザの意図するタイミングで動画に重畳された映像効果を消去することのできる撮像装置及びその制御方法、動画記録装置並びにその制御方法、プログラム、並びに記憶媒体を提供することにある。
【手続補正４】
【補正対象書類名】明細書
【補正対象項目名】００１０
【補正方法】変更
【補正の内容】
【００１０】
上記の目的を達成するため、本発明による撮像装置は、撮像手段と、前記撮像手段で撮像した動画像とともに、該動画像に重畳した表示アイテムを記録するように制御する記録制御手段と、前記撮像手段での前記動画像の撮影中に特定の撮影条件が変更されると、前記記録制御手段で動画とともに記録していた前記表示アイテムを記録しないように制御する制御手段とを有することを特徴とする。
【手続補正５】
【補正対象書類名】明細書
【補正対象項目名】００１１
【補正方法】変更
【補正の内容】
【００１１】
本発明によれば、被写体の動きに拘わらずユーザの意図するタイミングで動画像に重畳された映像効果を消去することができる。
【手続補正６】
【補正対象書類名】特許請求の範囲
【補正対象項目名】全文
【補正方法】変更
【補正の内容】
【特許請求の範囲】
【請求項１】
撮像手段と、
前記撮像手段で撮像した動画像とともに、該動画像に重畳した表示アイテムを記録するように制御する記録制御手段と、
前記撮像手段での前記動画像の撮影中に特定の撮影条件が変更されると、前記記録制御手段で動画とともに記録していた前記表示アイテムを記録しないように制御する制御手段と
を有することを特徴とする撮像装置。
【請求項２】
前記記録制御手段は、前記動画像に前記表示アイテムが重畳された映像データを記録するように制御することを特徴とする請求項１に記載の撮像装置。
【請求項３】
前記記録制御手段は、前記表示アイテムを重畳していない動画像とともに、前記表示アイテムを重畳すべき該動画像の位置を示す情報に関連付けて記録することを特徴とする請求項１に記載の撮像装置。
【請求項４】
前記撮像手段での前記動画像の撮影中に、前記動画像に前記表示アイテムを重畳して表示手段に表示するように制御する表示制御手段を更に有し、
前記制御手段は、前記撮像手段での前記動画像の撮影中に特定の撮影条件が変更されると、前記表示制御手段で前記動画像に重畳して表示していた前記表示アイテムを消去するように制御することを特徴とする請求項１乃至３のいずれか１項に記載の撮像装置。
【請求項５】
前記動画像についてそのフォーカス位置を制御するフォーカス制御手段と、
前記フォーカス制御手段によるフォーカス位置の変化量が所定のフォーカス変化量よりも変化した際、前記特定の撮影条件が変更されたと判定するフォーカス判定手段とを備えることを特徴とする請求項１乃至４のいずれか１項に記載の撮像装置。
【請求項６】
前記動画像についてズームを行うズーム制御手段と、
前記ズーム制御手段によってズームが行われた際、当該ズームの変化量が所定のズーム変化量よりも変化した場合に前記特定の撮影条件が変更されたと判定するズーム判定手段とを有することを特徴とする請求項１乃至５のいずれか１項に記載の撮像装置。
【請求項７】
前記動画像についてその露出を制御する露出制御手段と、
前記露出制御手段によって露出の変更が行われた際、当該露出の変化量が所定の露出変化量よりも変化した場合に前記特定の撮影条件が変更されたと判定する露出判定手段とを有することを特徴とする請求項１乃至６のいずれか１項に記載の撮像装置。
【請求項８】
前記動画像についてそのホワイトバランスを制御するホワイトバランス制御手段と、
前記ホワイトバランス制御手段によってホワイトバランスの変更が行われた際、当該ホワイトバランスの変化量が所定のホワイトバランス変化量よりも変化した場合に前記特定の撮影条件が変更されたと判定するホワイトバランス判定手段とを有することを特徴とする請求項１乃至７のいずれか１項に記載の撮像装置。
【請求項９】
前記動画像において人物の顔を検知する顔検知手段と、
前記顔検知手段によって前記動画像において顔が検知されると前記特定の撮影条件が変更されたと判定する顔判定手段とを有することを特徴とする請求項１乃至８のいずれか１項に記載の撮像装置。
【請求項１０】
前記撮像装置の動きを検知する動き検知手段と、
前記動き検知手段によって前記撮像装置の動きが検知された際、当該動きの変化量が所定の動き変化量よりも変化した場合に前記特定の撮影条件が変更されたと判定する動き判定手段とを有することを特徴とする請求項１乃至９のいずれか１項に記載の撮像装置。
【請求項１１】
前記動画像とともに前記表示アイテムの記録を開始してからの経過時間を計時する計時手段を有し、
前記制御手段は、前記計時手段によって計時された経過時間が所定の時間未満であると、前記特定の撮影条件の変更に拘わらず、前記記録制御手段で動画とともに記録していた前記表示アイテムの記録を継続することを特徴とする請求項１乃至１０のいずれか１項に記載の撮像装置。
【請求項１２】
前記動画像とともに前記表示アイテムの記録を開始からの経過時間を計時する計時手段を有し、
前記制御手段は、前記計時手段によって計時された経過時間が所定の時間以上であると、前記特定の撮影条件の変更に拘わらず、前記記録制御手段で動画とともに記録していた前記表示アイテムを記録しないように制御することを特徴とする請求項１乃至１１のいずれか１項に記載の撮像装置。
【請求項１３】
前記所定の時間を設定するための時間設定手段を有することを特徴とする請求項１１又は１０記載の撮像装置。
【請求項１４】
前記表示アイテムの自動消去を設定するための自動消去設定手段を備え、
前記制御手段は、前記自動消去設定手段によって自動消去が設定されていると、前記特定の撮影条件の変更に応じて前記記録制御手段で動画とともに記録していた前記表示アイテムを記録しないようにする制御を実行することを特徴する請求項１乃至１３のいずれか１項に記載の撮像装置。
【請求項１５】
前記表示アイテムの消去を行うための消去入力手段を有し、
前記消去入力手段が操作されると、前記制御手段は、前記特定の撮影条件の変更に拘わらず前記記録制御手段で動画とともに記録していた前記表示アイテムを記録しないように制御することを特徴とする請求項１乃至１４のいずれか１項に記載の撮像装置。
【請求項１６】
前記表示アイテムの入力をユーザーから受付ける受付手段を更に有することを特徴とする請求項１乃至１５のいずれか１項に記載の撮像装置。
【請求項１７】
前記受付手段はタッチパネルであり、
前記表示アイテムは前記タッチパネルで受付けたユーザーの手書きによって生成される表示アイテムであることを特徴とする請求項１６に記載の撮像装置。
【請求項１８】
撮像手段を有する撮像装置の制御方法であって、
前記撮像手段で撮像した動画像とともに、該動画像に重畳した表示アイテムを記録するように制御する記録制御ステップと、
前記撮像手段での前記動画像の撮影中に特定の撮影条件が変更されると、前記記録制御ステップで動画とともに記録していた前記表示アイテムを記録しないように制御する制御ステップと
を有することを特徴とする撮像装置の制御方法。
【請求項１９】
撮像手段を有する撮像装置の制御方法をコンピュータに実行させるプログラムであって、
前記撮像装置の制御方法は、
前記撮像手段で撮像した動画像とともに、該動画像に重畳した表示アイテムを記録するように制御する記録制御ステップと、
前記撮像手段での前記動画像の撮影中に特定の撮影条件が変更されると、前記記録制御ステップで動画とともに記録していた前記表示アイテムを記録しないように制御する制御ステップと
を有することを特徴とするプログラム。
【請求項２０】
請求項１９に記載のプログラムが記憶されたコンピュータ読取可能な記憶媒体。
【請求項２１】
動画像とともに、該動画像に重畳した表示アイテムを記録するように制御する記録制御手段と、
前記記録制御手段での前記動画像の記録中に、該動画像を解析した結果が特定の条件を満たすと、前記記録制御手段で動画とともに記録していた前記表示アイテムを記録しないように制御する制御手段と
を有することを特徴とする動画記録装置。
【請求項２２】
前記動画像を解析して特定の被写体を検知する被写体検知手段を更に有し、
前記特定の条件は、前記被写体検知手段で前記特定の被写体を検知したおことであることを特徴とする請求項２１に記載の動画記録装置。
【請求項２３】
前記特定の被写体は人物の顔であることを特徴とする請求項２２に記載の動画記録装置。
【請求項２４】
動画像とともに、該動画像に重畳した表示アイテムを記録するように制御する記録制御ステップと、
前記記録制御ステップでの前記動画像の記録中に、該動画像を解析した結果が特定の条件を満たすと、前記記録制御ステップで動画とともに記録していた前記表示アイテムを記録しないように制御する制御ステップと
を有することを特徴とする動画記録装置の制御方法。
【請求項２５】
動画記録装置の制御方法をコンピュータに実行させるプログラムであって、
前記動画記録装置の制御方法は、
動画像とともに、該動画像に重畳した表示アイテムを記録するように制御する記録制御ステップと、
前記記録制御ステップでの前記動画像の記録中に、該動画像を解析した結果が特定の条件を満たすと、前記記録制御ステップで動画とともに記録していた前記表示アイテムを記録しないように制御する制御ステップと
を有することを特徴とするプログラム。
【請求項２６】
請求項２５に記載のプログラムが記憶されたコンピュータ読取可能な記憶媒体。